(57)【特許請求の範囲】
【請求項１】
腹側部、背側部、及び股下部を有する吸収性本体と、該吸収性本体を着用者に止着するベルトと、該ベルトを挿通し前記吸収性本体に固定されるベルトループ部とを備える吸収性物品であって、
前記ベルトループ部は、前記吸収性本体に固定される固定止着材を有しており、
前記ベルトは、ベルトの長さを調整する調整止着材を有しており、該調整止着材により、前記吸収性物品の装着時にベルトの長さが調整されるようになしてあり、該ベルトが、前記吸収性本体に固定された前記ベルトループ部を介して、前記腹側部と前記背側部との間に架け渡されることにより装着され、
前記ベルトは、一本からなり、その長手方向の両端部それぞれの、前記吸収性物品に対向する面と反対側の面に前記調整止着材を有しており、
前記ベルトループ部は、前記腹側部又は前記背側部の両側部それぞれに配される２つの第１ベルトループ部と、前記背側部又は前記腹側部の略中央部に配される第２ベルトループ部とからなり、該ベルトループ部の前記吸収性物品に対向する面に、前記固定止着材を有しており、
前記ベルトの長さは、各第１ベルトループ部に挿通された前記ベルトを、該第１ベルトループ部で折返し、該ベルトの前記吸収性物品に対向する面と反対側の面に、前記調整止着材を介して折返した該ベルトの部分を止着することにより調整される吸収性物品。
【請求項２】
腹側部、背側部、及び股下部を有する吸収性本体と、該吸収性本体を着用者に止着するベルトと、該ベルトを挿通し前記吸収性本体に固定されるベルトループ部とを備える吸収性物品であって、
前記ベルトループ部は、前記吸収性本体に固定される固定止着材を有しており、
前記ベルトは、ベルトの長さを調整する調整止着材を有しており、該調整止着材により、前記吸収性物品の装着時にベルトの長さが調整されるようになしてあり、該ベルトが、前記吸収性本体に固定された前記ベルトループ部を介して、前記腹側部と前記背側部との間に架け渡されることにより装着され、
前記ベルトは、一本からなり、その長手方向の一端部は、前記背側部の一側部に固定されており、その長手方向の他端部の、前記吸収性物品に対向する面と反対側の面に前記調整止着材を有しており、
前記ベルトループ部は、前記背側部の他側部に配される第３ベルトループ部と、前記腹側部の略中央部に配される第４ベルトループ部とからなり、該ベルトループ部の前記吸収性物品に対向する面に、前記固定止着材を有しており、
前記ベルトの長さは、各第３ベルトループ部に挿通された前記ベルトを、該第３ベルトループ部で折返し、該ベルトの前記吸収性物品に対向する面と反対側の面に、前記調整止着材を介して折返した該ベルトの部分を止着することにより調整される吸収性物品。
【請求項３】
前記調整止着材を配した前記ベルトの端部の幅は、前記ベルトループ部のループの広さよりも広い請求項１又は２に記載の吸収性物品。
【発明の詳細な説明】
【技術分野】
【０００１】
本発明は、使い捨ておむつ等の吸収性物品に関する。
【背景技術】
【０００２】
従来の吸収性物品として、着用者を立たせたまま、着用者に装着することのできる使い捨ておむつが知られている。例えば、特許文献１には、前述のような吸収性物品として、おむつのおしり側の両脇部それぞれに外側に延出した連結部材を設け、おなか側の両脇部それぞれに連結部材を通すスリットを備えた使い捨ておむつが記載されている。また、例えば、特許文献２には、前述のような吸収性物品として、おむつの背側の一方の側部からベルト部を延在させ、他方の側部にベルト部を挿通するスリットを備え、おむつ腹側の内面と背側の外面とを着脱自在に接合する接合手段を備えた使い捨ておむつが記載されている。
【０００３】
しかしながら、特許文献１に記載の使い捨ておむつにおいては、おむつのおなか側の両脇部に形成されたスリットに、連結部材を通す必要があるため、着用者に簡単に装着することができない。また、特許文献１に記載の使い捨ておむつにおいては、連結部材の長さが十分に長くないため、幅広い体型の着用者に対応させることが難しい。
【０００４】
特許文献２に記載の使い捨ておむつにおいては、ベルト部の長さが十分に長いため、幅広い体型の着用者に対応させることが可能である。しかしながら、特許文献２に記載の使い捨ておむつにおいても同様に、おむつの背側の一方の側部に配されたベルト部を、他方の側部に形成されたスリットに挿通する必要があるため、着用者に簡単に装着することができない。また、特許文献２に記載の使い捨ておむつにおいては、ベルト部の長さの調整をすることが難しい。
【先行技術文献】
【特許文献】
【０００５】
【特許文献１】特開２００１−４６４２７号公報
【特許文献２】特開２００８−７９７３９号公報
【発明の概要】
【発明が解決しようとする課題】
【０００６】
したがって、本発明の課題は、どのような姿勢においても着用者に簡単に装着することができ、幅広い体型の着用者に対応させることができる吸収性物品を提供することにある。また、本発明の課題は、ベルトの長さの調整が容易にでき、幅広い体型の着用者に対応させることができる吸収性物品を提供することにある。
【課題を解決するための手段】
【０００７】
本発明は、腹側部、背側部、及び股下部を有する吸収性本体と、該吸収性本体を着用者に止着するベルトと、該ベルトを挿通し前記吸収性本体に固定されるベルトループ部とを備える吸収性物品であって、前記ベルトループ部は、前記吸収性本体に固定される固定止着材を有しており、前記ベルトは、ベルトの長さを調整する調整止着材を有しており、該調整止着材により、前記吸収性物品の装着時にベルトの長さが調整されるようになしてあり、該ベルトが、前記吸収性本体に固定された前記ベルトループ部を介して、前記腹側部と前記背側部との間に架け渡されることにより装着される吸収性物品を提供するものである。
【発明の効果】
【０００８】
本発明の吸収性物品によれば、どのような姿勢においても着用者に簡単に装着することができ、幅広い体型の着用者に対応させることができる。また、本発明の吸収性物品によれば、ベルトの長さの調整が容易にでき、幅広い体型の着用者に対応させることができる。
【図面の簡単な説明】
【０００９】
【図１】図１は、本発明の第１実施形態である使い捨ておむつの斜視図である。
【図２】図２は、図１に示す使い捨ておむつの分解図である。
【図３】図３は、図１に示す使い捨ておむつの吸収性本体を伸張させて拡げた状態を表面シート側から見た平面図である。
【図４】図４は、本発明の第２実施形態である使い捨ておむつの斜視図である。
【図５】図５は、図４に示す使い捨ておむつの分解図である。
【図６】図６は、図４に示す使い捨ておむつのベルトの拡大斜視図である。
【図７】図７は、本発明の第３実施形態である使い捨ておむつの斜視図である。
【図８】図８は、図７に示す使い捨ておむつの分解図である。
【図９】図９は、図７に示す使い捨ておむつのベルトの拡大斜視図である。
【発明を実施するための形態】
【００１０】
以下、本発明の吸収性物品を、その好ましい第１実施形態に基づき、図１〜図３を参照しながら説明する。
【００１１】
第１実施形態の使い捨ておむつ１Ａ（以下、「おむつ１Ａ」ともいう。）は、図１に示すように、腹側部Ａ、背側部Ｂ、及び股下部Ｃを有する吸収性本体２と、吸収性本体２を着用者に止着するベルト３と、ベルト３を挿通し前記吸収性本体２に固定されるベルトループ部４とを備えている。図２に示すように、ベルトループ部４は、吸収性本体２に固定される固定止着材４１を有している。ベルト３は、ベルトの長さを調整する調整止着材３１を有しており、調整止着材３１により、装着時にベルト３の長さが調整されるようになしてある。おむつ１Ａにおいては、図１に示すように、一対のレッグ開口部ＬＯ，ＬＯが、吸収性本体２に固定されたベルトループ部４を介して、ベルト３が、腹側部Ａと背側部Ｂとの間に架け渡されることにより形成されている。
おむつ１Ａは、図１に示すように、縦方向に延びる中心線ＣＬに対して左右対称に形成されている。従って以下の説明では、左右対称な部分については、主に、図１に示す右側の部分について説明する。
【００１２】
第１実施形態のおむつ１Ａについて、詳述すると、おむつ１Ａの吸収性本体２は、図３に示すように、平面状に拡げた状態において、その長手方向（以下「Ｙ方向」という。Ｙ方向：中心線ＣＬに平行な方向をいう。）に、装着時に、着用者の腹側に配される腹側部Ａと、着用者の背側に配される背側部Ｂと、腹側部Ａと背側部Ｂとの間に位置し、着用者の股間部に配される股下部Ｃを有している。尚、おむつ１Ａは、平面状に拡げた状態において、吸収性本体２と同方向に長い形状である。おむつ１Ａ及び吸収性本体２の幅方向は、その長手方向（Ｙ方向）に直交する方向（以下「Ｘ方向」という。）である。
【００１３】
吸収性本体２は、図３に示すように、液透過性の表面シート２１と、液不透過性又は撥水性の裏面シート２２と、これら両シート２１，２２間に介在された液保持性の吸収体２３とを有して構成されている。吸収体２３は、長手方向（Ｙ方向）に長い形状であり、長手方向（Ｙ方向）の両側縁が、長手方向（Ｙ方向）の中央部（股下部Ｃに対応する領域）近傍において、幅方向（Ｘ方向）内方に括れた砂時計形状に形成されている。表面シート２１及び裏面シート２２それぞれは、図３に示すように、吸収体２３の着用者の肌に対向する肌対向面の全面及び非肌対向面の全面を覆っており、吸収体２３の周縁から延出している。また、吸収体２３の肌対向面側に配される表面シート２１は、図３に示すように、幅方向（Ｘ方向）の長さが裏面シート２２よりも短くなっている。
【００１４】
吸収性本体２は、図３に示すように、長手方向（Ｙ方向）の側部２ｂに、表面シート２１を介してサイドシート２４が配されている。サイドシート２４は、図３に示すように、吸収性本体２（表面シート２１）の肌対向面側であって、側部２ｂの長手方向（Ｙ方向）の全域に亘って配されている。サイドシート２４は、図３に示すように、表面シート２１の幅方向（Ｘ方向）外方の端部２１ｂにおいて、表面シート２１と接合され、固定部２５を形成している。固定部２５は、長手方向（Ｙ方向）に直線状に延びて形成されている。サイドシート２４の幅方向（Ｘ方向）内方の端部は、図３に示すように、自由端となっている。図３に示すように、股下部Ｃにおける自由端近傍には立体ギャザー形成用の弾性部材５１が伸長状態で配設固定されており、装着時には、その弾性部材５１の収縮力により、自由端から所定幅の部分が表面シート２から離間して立体ギャザーが形成される。
【００１５】
吸収性本体２には、図３に示すように、背側部Ｂにおいて、固定部２５から幅方向（Ｘ方向）外方に延出したサイドシート２４と裏面シート３とが接合され、サイドフラップ部２６が形成されている。同様に、腹側部Ａにおいても、サイドフラップ部２６が形成されている。
【００１６】
吸収性本体２には、図３に示すように、股下部Ｃにおいて、固定部２５から幅方向（Ｘ方向）外方に延出したサイドシート２４と裏面シート３とが接合され、レッグフラップ部２７が形成されている。レッグフラップ部２７には、図３に示すように、股下部Ｃにおいて、レッグギャザー形成用の弾性部材５２が伸長状態で、長手方向（Ｙ方向）に配設固定されており、装着時には、その弾性部材５２の収縮力により、レッグギャザーが形成される。
【００１７】
吸収性本体２には、腹側部Ａの長手方向（Ｙ方向）外方領域における両側部２ｂ，２ｂ間に、図３に示すように、幅方向（Ｘ方向）に延びる伸縮部材５３が配されている。同様に、背側部Ｂの長手方向（Ｙ方向）外方領域における両側部２ｂ，２ｂ間には、図３に示すように、幅方向（Ｘ方向）に延びる伸縮部材５３が配されている。伸縮部材５３は、複数本からなり、複数本の弾性部材５３が、図３に示すように、表面シート２１と裏面シート２２との間に長手方向（Ｙ方向）に間欠的に並設固定されている。
【００１８】
吸収性本体２を着用者に止着するベルト３は、図２に示すように、おむつ１Ａにおいては、一本からなり、その長手方向の両端部３ａ，３ａそれぞれの、おむつ１Ａに対向する面と反対側の面（以下、「外表面」ともいう。）に調整止着材３１を有している。図２に示すように、ベルト３は、おむつ１Ａの幅方向（Ｘ方向）に長い帯状に形成されている。以下の説明では、ベルト３の長手方向を、図２に示す「Ｘ方向」として説明し、ベルト３の幅方向を、図２に示す「Ｙ方向」として説明する。
【００１９】
ベルト３は、扱いやすさの観点から、Ｘ方向の長さが、３０ｃｍ〜２００ｃｍであることが好ましく、特に、ベビー用としては、３０ｃｍ〜９０ｃｍであることが更に好ましい。また、ベルト３は、部分的圧力、フィット性、動きやすさの観点から、Ｙ方向の幅が、１０ｍｍ〜１００ｍｍであることが好ましく、２０ｍｍ〜５０ｍｍであることが更に好ましい。
【００２０】
ベルト３は、ベルトの長さを調整する調整止着材３１を有しており、調整止着材３１により、装着時にベルト３の長さが調整されるようになしてある。調整止着材３１は、おむつ１Ａにおいては、ベルト３のＸ方向の両端部３ａ，３ａそれぞれの外表面に形成されている。調整止着材３１は、安定して止着する観点から、配置面積が１ｃｍ2〜１００ｃｍ2であることが好ましく、４ｃｍ2〜２５ｃｍ2であることが更に好ましい。
【００２１】
おむつ１Ａにおいては、図２に示すように、後述するベルトループ部４に挿通したベルト３の端部が抜け難くする観点から、調整止着材３１を配したベルト３の端部がベルトループ部４のループの広さよりも広く形成されている。即ち、ベルト３の端部のＹ方向の長さが、ベルトループ部４のループの広さ（ループの直径）よりも長く形成されている。
【００２２】
ベルト３を挿通し前記吸収性本体２に固定されるベルトループ部４は、図１，図２に示すように、ループ状に形成されている。ベルトループ部４は、扱いやすさの観点から、Ｘ方向の長さが、５ｍｍ〜５０ｍｍであることが好ましく、２０ｍｍ〜３０ｍｍであることが更に好ましく、扱いやすさの観点から、ループの直径が、１０ｍｍ〜１００ｍｍであることが好ましく、２０ｍｍ〜５０ｍｍであることが更に好ましい。ここで、ループの直径とは、ベルトループ部４のループの中で最も広い部分の長さのことを示す。
【００２３】
ベルトループ部４は、図２に示すように、吸収性本体２に固定される固定止着材４１を有している。固定止着材４１は、ベルトループ部４の吸収性本体２に対向する面に配されており、固定止着材４１は、安定して止着する観点から、配置面積が１ｃｍ2〜１００ｃｍ2であることが好ましく、４ｃｍ2〜２５ｃｍ2であることが更に好ましい。
【００２４】
ベルトループ部４は、おむつ１Ａにおいては、図２に示すように、腹側部Ａの両側部２ｂ，２ｂ又は背側部Ｂの両側部２ｂ，２ｂそれぞれに配される２つの第１ベルトループ部４ａ，４ａを有している。また、おむつ１Ａにおいては、図２に示すように、ベルトループ部４は、背側部Ｂ又は腹側部Ａの幅方向（Ｘ方向）の略中央部に配される第２ベルトループ部４ｂを有している。ここで、おむつ１Ａにおいては、２つの第１ベルトループ部４ａ，４ａが、腹側部Ａの両側部２ｂ，２ｂそれぞれに配される場合には、第２ベルトループ部４ｂが、背側部Ｂの幅方向（Ｘ方向）の略中央部に配され、また、図１，図２に示すように、２つの第１ベルトループ部４ａ，４ａが、背側部Ｂの両側部２ｂ，２ｂそれぞれに配される場合には、第２ベルトループ部４ｂが、腹側部Ｂの幅方向（Ｘ方向）の略中央部に配される。
【００２５】
おむつ１Ａにおいては、第１ベルトループ部４ａ及び第２ベルトループ部４ｂそれぞれは、図２に示すように、ループ部４２と、ループ部４２を固定し固定止着材４１を固定する基材部４３とからなる。おむつ１Ａにおいては、第１ベルトループ部４ａは、基材部４３が、図２に示すように、基材部４３のループ部４２を固定している部分４３ａと、部分４３ａよりもおむつ１Ａの幅方向（Ｘ方向）の外方に延在する部分４３ｂとからなる。このように、第１ベルトループ部４ａがＸ方向の外方に延在する部分４３ｂを有していることにより、つまみやすさと剥がれ難さを両立することができる。また、おむつ１Ａにおいては、第２ベルトループ部４ｂは、図２に示すように、基材部４３のループ部４２を固定している部分４３ａが、基材部４３の幅方向（Ｘ方向）の中央に位置するように形成されている。
【００２６】
ベルト３は、おむつ１Ａの装着時にベルトの長さが調整されるようになしてある。図２に示すように、おむつ１Ａにおいては、ベルト３の長さが、各第１ベルトループ部４ａに挿通されたベルト３を、第１ベルトループ部４ａで折返し、ベルト３のおむつ１Ａに対向する面と反対側の面（以下、「外表面」ともいう。）に、調整止着材３１を介して折返したベルト３の部分を止着することにより調整される。具体的には、ベルト３は、図２に示すように、一方の第１ベルトループ部４ａ、第２ベルトループ部４ｂ、他方の第１ベルトループ部４ｂの順に、挿通されており、一方及び又は他方の１ベルトループ部４ａに挿通されたベルト３の部分を、第１ベルトループ部４ａで折返し、ベルト３の外表面に、調整止着材３１を介して折返したベルト３の部分を止着することにより、ベルト３の長さを調整することができる。
【００２７】
おむつ１Ａは、図１に示すように、ベルト３が、吸収性本体２に固定されたベルトループ部４を介して、腹側部Ａと背側部Ｂとの間に架け渡されることにより装着される。具体的には、図２に示すように、長さの調整されたベルト３が、第１ベルトループ部４ａ，４ａを介して、吸収性本体２の背側部Ｂの両側部２ｂ，２ｂそれぞれに配され固定され、第２ベルトループ部４ｂを介して、吸収性本体２の腹側部Ａの幅方向（Ｘ方向）の略中央部に配され固定されることにより、腹側部Ａと背側部Ｂとの間に架け渡され、おむつ１Ａには、一対のレッグ開口部ＬＯ，ＬＯとウエスト開口部ＷＯとが形成され、おむつ１Ａが装着される。又は、長さの調整されたベルト３が、第１ベルトループ部４ａ，４ａを介して、吸収性本体２の腹側部Ａの両側部２ｂ，２ｂそれぞれに配され固定され、第２ベルトループ部４ｂを介して、吸収性本体２の背側部Ｂの幅方向（Ｘ方向）の略中央部に配され固定されることにより、腹側部Ａと背側部Ｂとの間に架け渡され、おむつ１Ａには、一対のレッグ開口部ＬＯ，ＬＯとウエスト開口部ＷＯとが形成され、おむつ１Ａが装着される。第１ベルトループ部４ａ，４ａ、第２ベルトループ部４ｂは、固定止着材４１を介して吸収性本体２に固定される。
【００２８】
第１実施形態のおむつ１Ａの形成材料について説明する。
表面シート２１、裏面シート２２、吸収体２３、立体ギャザーやレッグギャザーを形成するサイドシート２４としては、通常、使い捨ておむつ等の吸収性物品に用いられるものであれば、特に制限なく用いることができる。例えば、表面シート２１としては、液透過性の不織布や、開孔フィルム、これらの積層体等を用いることができ、裏面シート２２としては、樹脂フィルムや樹脂フィルムと不織布の積層体等を用いることができる。特に、裏面シート２２としては、おむつ１Ａの固定止着材４１が、後述する、フック材からなるファスニングテープの場合には、ターゲットテープの代わりになる樹脂フィルムと不織布との積層体を用いることが好ましい。吸収体２３としては、パルプ等の繊維材料の繊維集合体又はこれに高吸収性ポリマーを担持させたものからを、ティッシュペーパーや透水性の不織布等の被覆材で包んでなるもの等を用いることができる。サイドシート２４としては、伸縮性のフィルム、不織布、織物またはそれらの積層シート等を用いることができる。立体ギャザー形成用の弾性部材５１、レッグギャザー形成用の弾性部材５２及び弾性部材５３としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状又は帯状の伸縮性材料を用いることができる。
【００２９】
立体ギャザー形成用の弾性部材５１、レッグギャザー形成用の弾性部材５２及び弾性部材５３の固定に使用する接着剤としては、通常、使い捨ておむつ等の吸収性物品に用いられるものであれば、特に制限なく用いることができる。
【００３０】
表面シート２１とサイドシート２４との固定部２５は、通常、使い捨ておむつ等の吸収性物品に用いられる接着剤、熱融着等により表面シート２１とサイドシート２４とを接合することにより形成される。
【００３１】
ベルト３としては、通常、使い捨ておむつ等の吸収性物品に用いられるものであれば、特に制限なく用いることができる。例えば、ベルト３としては、不織布や、フィルム、これらの積層体等を用いることができ、ベルトループ部４との摩擦抵抗を低くし、滑り易くする観点から、表面をエンボス加工したスパンボンド不織布を用いることが好ましい。ベルト３としてスパンボンド不織布を用いる場合には、目付が、２５ｇ／ｍ2〜１００ｇ／ｍ2であることが好ましく、３０ｇ／ｍ2〜６０ｇ／ｍ2であることが更に好ましい。
【００３２】
ベルトループ４としては、通常、使い捨ておむつ等の吸収性物品に用いられるものであれば、特に制限なく用いることができる。例えば、ベルトループ部４としては、不織布や、フィルム、これらの積層体等を用いることができ、柔らかさと強度の観点から、スパンボンド不織布を用いることが好ましい。ベルトループ部４としてスパンボンド不織布を用いる場合には、目付が、６０ｇ／ｍ2〜１００ｇ／ｍ2であることが好ましい。
【００３３】
調整止着材３１及び固定止着材４１としては、フック材からなるファスニングテープや粘着剤を用いることができる。粘着剤としては、通常、使い捨ておむつ等の吸収性物品に用いられるものであれば、特に制限なく用いることができる。ファスニングテープ９を形成するフック材としては、通常、使い捨ておむつ等の吸収性物品に用いられるものであれば、特に制限なく用いることができる。例えば、フック材としては、「マジックテープ（登録商標）」（クラレ社製）、「クイックロン（登録商標）」（ＹＫＫ社製）、「マジクロス（登録商標）」（カネボウベルタッチ社製）等におけるオス部材等を用いることができる。
【００３４】
ベルト３と調整止着材３１との固定は、通常、使い捨ておむつ等の吸収性物品に用いられるものであれば、特に制限なく用いることができ、例えば、ホットメルト、縫製により固定することができる。また、ベルトループ部４の基材部４３と固定止着材４１との固定も、ベルト３と調整止着材３１との固定と同様に、例えば、ホットメルト、縫製により固定することができる。
【００３５】
上述した本発明の第１実施形態のおむつ１Ａを使用した際の作用効果について説明する。
第１実施形態のおむつ１Ａは、図１，図２に示すように、ベルト３は、ベルトの長さを調整する調整止着材３１を有しており、おむつ１Ａの装着時にベルトの長さが調整されるようになしてある。その為、第１実施形態のおむつ１Ａは、ベルトの長さの調整が容易にでき、幅広い体型の着用者に対応させることができる。また、第１実施形態のおむつ１Ａは、吸収性本体２に固定されたベルトループ部４を介して、ベルト３を、腹側部Ａと背側部Ｂとの間に架け渡すことにより、装着される。その為、例えば、着用者が立った姿勢、寝た姿勢において、脚を上げ、おむつのレッグ開口部に脚を入れて着用する必要がなく、着用者が立った姿勢、寝た姿勢において、吸収性本体２を着用者の股下にあてがい、その後、ベルト３を、腹側部Ａと背側部Ｂとの間に架け渡すことによりおむつ１Ａを装着することができる。その為、第１実施形態のおむつ１Ａは、どのような姿勢においても着用者に簡単に装着することができ、幅広い体型の着用者に対応させることができる。
【００３６】
また、第１実施形態のおむつ１Ａにおいては、図１，図２に示すように、ベルト３が、一本からなり、吸収性本体２とは別に形成されており、ベルトループ部４が、腹側部Ａの両側部２ｂ，２ｂ又は背側部Ｂの両側部２ｂ，２ｂそれぞれに配される２つの第１ベルトループ部４ａ，４ａと、背側部Ｂ又は腹側部Ａの幅方向（Ｘ方向）の略中央部に配される第２ベルトループ部４ｂとを有している。その為、ベルト３を、腹側部Ａから背側部Ｂに向けて架け渡したり、背側部Ｂから腹側部Ａに向けて架け渡すことによりおむつ１Ａを装着することができる。従って、うつ伏せに寝た姿勢においても仰向きに寝た姿勢においても、おむつ１Ａを装着することができるので、第１実施形態のおむつ１Ａは、更にどのような姿勢においても着用者に簡単に装着することができる。
【００３７】
次に、本発明の第２実施形態の吸収性物品について、図４〜図６に基づいて説明する。
第２実施形態の使い捨ておむつ１Ｂ（以下、「おむつ１Ｂ」ともいう）については、第１実施形態の使い捨ておむつ１Ａと異なる点について説明する。特に説明しない点は、第１実施形態の使い捨ておむつ１Ａと同様であり、おむつ１Ａの説明が適宜適用される。
【００３８】
第２実施形態のおむつ１Ｂは、図４，図５に示すように、ベルト３は、一本からなり、そのＸ方向の一端部３ａが背側部Ａの一側部２ｂに固定されている点が、固定されていないおむつ１Ａのベルト３と異なる。また、第２実施形態のおむつ１Ｂは、図４，図５に示すように、腹側部Ａ及び背側部Ｂそれぞれの外面にベルトループ部４の固定止着材４１を止着するターゲットテープ６を有している点が、ターゲットテープ６を有していないおむつ１Ａと異なる。
【００３９】
おむつ１Ｂの吸収性本体２は、図４，図５に示すように、背側部Ｂの外面に、両側部２ｂ，２ｂ間に亘って、後述する第３ベルトループ部４ｃの固定止着材４１を止着するターゲットテープ６を有し、腹側部Ａの外面に、両側部２ｂ，２ｂ間に亘って、後述する第４ベルトループ部４ｄの固定止着材４１を止着するターゲットテープ６を有している。
【００４０】
おむつ１Ｂのベルト３は、図５，図６に示すように、一本からなり、そのＸ方向の一端部３ａは、吸収性本体２の背側部Ｂの一側部２ｂに固定されており、そのＸ方向の他端部３ｂの、おむつ１Ａに対向する面と反対側の面（以下、「外表面」ともいう。）に調整止着材３１を有している。具体的には、ベルト３のＸ方向の一端部３ａは、図５に示すように、吸収性本体２の背側部Ｂの一側部２ｂにおいて、裏面シート２２とサイドシート２４との間に配され固定されている。尚、おむつ１Ｂのベルト３は、図６に示すように、調整止着材３１を配したベルト３の他端部３ｂがベルトループ部４のループの広さよりも広く形成されておらず、他端部３ｂ以外の部位の幅と同じ広さに形成されている。
【００４１】
ベルトループ部４は、おむつ１Ｂにおいては、図５に示すように、吸収性本体２の背側部Ｂの他側部２ｂに配される第３ベルトループ部４ｃと、吸収性本体２の腹側部Ａの幅方向（Ｘ方向）の略中央部に配される第４ベルトループ部４ｄとを有している。第３ベルトループ部４ｃは、その構成部材であるループ部４２及び基材部４３が、第１ベルトループ部４ａと同様に形成されており、第４ベルトループ部４ｄは、その構成部材であるループ部４２及び基材部４３が、第２ベルトループ部４ｂと同様に形成されている。
【００４２】
ベルト３は、調整止着材３１により、おむつ１Ｂの装着時にベルトの長さが調整されるようになしてある。図６に示すように、おむつ１Ｂにおいては、ベルト３の長さが、第３ベルトループ部４ｃに挿通されたベルト３を、第３ベルトループ部４ｃで折返し、ベルト３の外表面に、調整止着材３１を介して折返したベルト３の部分を止着することにより調整される。具体的には、おむつ１Ｂのベルト３は、図６に示すように、第４ベルトループ部４ｄ、第３ベルトループ部４ｃの順に、挿通されており、第３ベルトループ部４ｃに挿通されたベルト３の部分を、第３ベルトループ部４ｃで折返し、ベルト３の外表面に、調整止着材３１を介して折返したベルト３の部分を止着することにより、ベルト３の長さを調整することができる。
【００４３】
おむつ１Ｂは、図４に示すように、吸収性本体２に固定されたベルトループ部４を介して、ベルト３が、腹側部Ａと背側部Ｂとの間に架け渡されることにより装着される。具体的には、図５に示すように、長さの調整されたベルト３が、第３ベルトループ部４ｃを介して、吸収性本体２の背側部Ｂの他側部２ｂ（背側部Ｂの一側部２ｂと反対側の側部）に配され固定され、第４ベルトループ部４ｄを介して、吸収性本体２の腹側部Ａの幅方向（Ｘ方向）の略中央部に配され固定されることにより、腹側部Ａと背側部Ｂとの間に架け渡され、おむつ１Ｂには、一対のレッグ開口部ＬＯ，ＬＯとウエスト開口部ＷＯとが形成され、おむつ１Ｂが装着される。第３ベルトループ部４ｃ、第４ベルトループ部４ｄは、固定止着材４１を介して吸収性本体２に固定される。
【００４４】
第２実施形態の使い捨ておむつ１Ｂの形成材料について説明する。第２実施形態のおむつ１Ｂについては、第１実施形態の使い捨ておむつ１Ａの形成材料と異なる点について説明する。特に説明しない点は、おむつ１Ａと同様であり、おむつ１Ａの説明が適宜適用される。
【００４５】
ターゲットテープ６としては、固定止着材４１がフック材からなるファスニングテープの場合には、フック材の係合突起（不図示）に係合可能な表面構造を有するループ材からなり、このようなループ材としては、フック材を押しつけることにより、フック材を止着可能なものを特に制限なく用いることができる。例えば、例えば上述した各種公知の機械的面ファスナーにおけるメス部材を用いることができる。
【００４６】
ベルト３のＸ方向の一端部３ａと、裏面シート２２とサイドシート２４との間の固定は、通常、使い捨ておむつ等の吸収性物品に用いられる接着剤、熱融着等を用いて固定される。
【００４７】
上述した本発明の第２実施形態の使い捨ておむつ１Ｂを使用した際の作用効果について説明する。
第２実施形態のおむつ１Ｂの効果については、第１実施形態のおむつ１Ａの効果と異なる点について説明する。特に説明しない点は、第１実施形態のおむつ１Ａの効果と同様であり、第１実施形態の展開型の使い捨ておむつ１Ａの効果の説明が適宜適用される。
【００４８】
第２実施形態のおむつ１Ｂは、図５に示すように、ベルト３の一端部３ａが吸収性本体２の背側部Ｂに固定されていることで、特に、おむつ１Ｂを赤ちゃんに装着させる場合に、片手で赤ちゃんを支えながら、もう片方の手で安定して装着もしくはサイズ調整を行うことができる。
【００４９】
次に、本発明の第３実施形態の吸収性物品について、図７〜図９に基づいて説明する。
第３実施形態の使い捨ておむつ１Ｃ（以下、「おむつ１Ｃ」ともいう）については、第１実施形態の使い捨ておむつ１Ａと異なる点について説明する。特に説明しない点は、第１実施形態の使い捨ておむつ１Ａと同様であり、おむつ１Ａの説明が適宜適用される。
【００５０】
第３実施形態のおむつ１Ｃは、図７に示すように、ベルト３は、二本からなり、それらのＸ方向の一端部３ａが背側部Ａの両側部２ｂ，２ｂそれぞれに固定されている点が、一本のベルトを有するおむつ１Ａと異なる。また、第３実施形態のおむつ１Ｃは、図７，図８に示すように、腹側部Ａの外面にベルトループ部４の固定止着材４１を止着するターゲットテープ６を有している点が、ターゲットテープ６を有していないおむつ１Ａと異なる。
【００５１】
おむつ１Ｂの吸収性本体２は、図８に示すように、腹側部Ａの外面に、両側部２ｂ，２ｂ間に亘って、後述する第５ベルトループ部４ｅの固定止着材４１を止着するターゲットテープ６を有している。
【００５２】
おむつ１Ｂのベルト３は、図７，図８に示すように、二本からなり、それらのＸ方向の一端部３ａ，３ａは、吸収性本体２の背側部Ｂの両側部２ｂ，２ｂそれぞれに固定されており、それらのＸ方向の他端部３ｂ，３ｂの、おむつ１Ａに対向する面と反対側の面（以下、「外表面」ともいう。）に調整止着材３１を有している。具体的には、図８に示すように、各ベルト３のＸ方向の一端部３ａは、吸収性本体２の背側部Ｂの側部２ｂにおいて、裏面シート２２とサイドシート２４との間に配され固定されている。尚、おむつ１Ｃのベルト３は、調整止着材３１を配したベルト３の他端部３ｂがベルトループ部４のループの広さよりも広く形成されておらず、他端部３ｂ以外の部位の幅と同じ広さに形成されている。
【００５３】
ベルトループ部４は、おむつ１Ｃにおいては、図８に示すように、吸収性本体２の腹側部Ａに配される２つの第５ベルトループ部４ｅ，４ｅを有している。各第５ベルトループ部４ｅは、各ベルト３を挿通し、吸収性本体２の腹側部Ａに配されたターゲットテープ６に、固定止着材４１を介して固定される。各第５ベルトループ部４ｅは、図９に示すように、ループ部４２と、ループ部４２を固定し固定止着材４１を固定する基材部４３とからなり、基材部４３は、基材部４３のループ部４２を固定している部分４３ａと、部分４３ａよりもおむつ１Ｃの幅方向（Ｘ方向）の中心側の部分４３ｂとからなる。図９に示すように、基材部４３の部分４３ｂのＹ方向の長さは、安定して止着する観点から、基材部４３の部分４３ａのＹ方向の長さより長くなるように形成されている。
【００５４】
ベルト３は、調整止着材３１により、おむつ１Ｃの装着時にベルトの長さが調整されるようになしてある。具体的には、おむつ１Ｃの各ベルト３は、図９に示すように、第５ベルトループ部４ｅに、挿通されており、第５ベルトループ部４ｅに挿通されたベルト３の部分を、第５ベルトループ部４ｅで折返し、ベルト３の外表面に、調整止着材３１を介して折返したベルト３の部分を止着することにより、ベルト３の長さを調整することができる。
【００５５】
おむつ１Ｃは、図７に示すように、吸収性本体２に固定されたベルトループ部４を介して、各ベルト３が、腹側部Ａと背側部Ｂとの間に架け渡されることにより装着される。具体的には、長さの調整された各ベルト３が、図８に示すように、第５ベルトループ部４ｅを介して、吸収性本体２の腹側部Ａに配され固定されることにより、腹側部Ａと背側部Ｂとの間に架け渡され、おむつ１Ｃには、一対のレッグ開口部ＬＯ，ＬＯとウエスト開口部ＷＯとが形成され、おむつ１Ｃが装着される。第５ベルトループ部４ｅは、固定止着材４１を介して吸収性本体２に固定される。
【００５６】
第３実施形態の使い捨ておむつ１Ｃの形成材料について説明する。第３実施形態のおむつ１Ｃについては、第１実施形態の使い捨ておむつ１Ａの形成材料と異なる点について説明する。特に説明しない点は、おむつ１Ａと同様であり、おむつ１Ａの説明が適宜適用される。
【００５７】
ターゲットテープ６としては、固定止着材４１がフック材からなるファスニングテープの場合には、フック材の係合突起（不図示）に係合可能な表面構造を有するループ材からなり、このようなループ材としては、フック材を押しつけることにより、フック材を止着可能なものを特に制限なく用いることができる。例えば、例えば上述した各種公知の機械的面ファスナーにおけるメス部材を用いることができる。
【００５８】
各ベルト３のＸ方向の一端部３ａと、裏面シート２２とサイドシート２４との間の固定は、通常、使い捨ておむつ等の吸収性物品に用いられる接着剤、熱融着等を用いて固定される。
【００５９】
上述した本発明の第３実施形態の使い捨ておむつ１Ｃを使用した際の作用効果について説明する。
第３実施形態のおむつ１Ｃの効果については、第１実施形態のおむつ１Ａの効果と異なる点について説明する。特に説明しない点は、第１実施形態のおむつ１Ａの効果と同様であり、第１実施形態の展開型の使い捨ておむつ１Ａの効果の説明が適宜適用される。
【００６０】
第３実施形態のおむつ１Ｃは、図８に示すように、吸収性本体２の背側部Ｂの両側部２ｂ，２ｂそれぞれにベルト３を有しているので、着用者の体位によらず、左右どちらからでもサイズ調節が可能である。
【００６１】
本発明の吸収性物品は、上述の第１，第２，第３実施形態の使い捨ておむつに何ら制限されるものではなく、適宜変更可能である。また、上述の第１，第２，第３実施形態の使い捨ておむつにおける各構成要件は、本発明の趣旨を損なわない範囲で、適宜組み合わせて実施できる。
【００６２】
例えば、本発明の吸収性物品は、幼児又は成人用の使い捨ておむつの他、吸収性パッド等であってもよい。
【符号の説明】
【００６３】
１Ａ，１Ｂ，１Ｃ  使い捨ておむつ
２  吸収性本体
２ｂ  側部
２１  表面シート
２１ｂ  幅方向（Ｘ方向）外方の端部
２２  裏面シート
２３  吸収体
２４  サイドシート
２５  固定部
２６  サイドフラップ部
２７  レッグフラップ部
３  ベルト
３ａ  長手方向の一端部
３ｂ  長手方向の他端部
３１  調整止着材
４  ベルトループ部
４ａ  第１ベルトループ部，４ｂ  第２ベルトループ部，４ｃ  第３ベルトループ部，４ｄ  第４ベルトループ部，４ｅ  第５ベルトループ部
４１  固定止着材
４２  ループ材
４３  基材部
４３ａ  ループ部４２を固定している部分，４３ｂ  ループ部４２を固定している部分以外の基材部の部分
５１  立体ギャザー形成用の弾性部材
５２  レッグギャザー形成用の弾性部材
５３  弾性部材
６  ターゲットテープ
Ａ  腹側部，Ｂ  背側部，Ｃ  股下部
ＣＬ  おむつの長手方向に延びる中心線
【図１】
0005528770.tif 000002
【図２】
0005528770.tif 000003
【図３】
0005528770.tif 000004
【図４】
0005528770.tif 000005
【図５】
0005528770.tif 000006
【図６】
0005528770.tif 000007
【図７】
0005528770.tif 000008
【図８】
0005528770.tif 000009
【図９】
0005528770.tif 000010